(57)【要約】【課題】従来のデジタル放送受信機では、スクランブル解除の際、各デコーダ装置内のデスクランブラ部でＣＡＳカードとの鍵交換のため、デコーダ装置毎にＣＡＳカードが必要であった。【解決手段】デスクランブラ部をデコーダ装置２、３側からチューナ装置１側に移動すると共に、デスクランブラ機能付ストリーム再多重部１７、１８において、ＴＳ分離部４１、４４で必要な番組を抜き出し、デスクランブル部４２、４５でそれらの番組に対してスクランブル解除し、ＴＳ多重部４３、４６でスクランブル解除後の番組を多重化することで、番組単位で実施するデスクランブル処理の最適化を図っている。また、２つのデスクランブラ部１７、１８でスクランブル解除する際に、ＣＡＳ制御部２１を介して１枚のＣＡＳカード２２を共有することで、１枚のＣＡＳカード２２で複数のデコーダ装置２、３に対応できる構成としている。【選択図】図１
2008098970.tif 000002
【特許請求の範囲】
【請求項１】
ｎ（ｎは２以上の整数）個のチューナを内蔵し、異なった帯域の信号を受信、復調し、後述するデコーダ装置により要求された番組のみを生成したｎ本のストリームから選択して再多重したｍ（ｍは１以上の整数）本のストリームに再構成して、前記ｍ本のストリームを送信するチューナ装置と、
前記チューナ装置に対して選択すべき複数の番組を要求し、前記チューナ装置から送信されたｍ本のストリームのうち、各々１本のストリームを受信し、ストリーム内の複数の番組を同時に映像・音声にデコード処理、又は、蓄積部にレコード処理をするデコーダ装置をｍ個備えたことを特徴とするデジタル放送受信システム。
【請求項２】
前記チューナ装置は、
前記デコーダ装置からの要求に応じて異なった帯域の信号を選択して受信するｎ個のチューナ部と、
前記ｎ個のチューナ部の出力を信号の変調方式に対応してデジタル復調し、ｎ本のトランスポートストリームとして出力するｎ個のデジタル復調部と、
前記ｍ個のデコーダ装置毎に１対１で存在し、前記ｍ個のデコーダ装置により要求された番組を前記ｎ個のデジタル復調部から出力されたｎ本のトランスポートストリーム内から選択し、選択した複数番組をスクランブル解除して各々１本のトランスポートストリームに再多重するｍ個のデスクランブラ機能付ストリーム再多重部と、
前記ｍ個の前記デスクランブラ機能付ストリーム再多重部でスクランブル解除する際に、スクランブル解除の際に用いる契約情報の鍵データを格納している１個の共通のＣＡＳカードにアクセスしてスクランブル解除の制御を行う１個の共通のＣＡＳ制御部と、
前記ｍ個のデスクランブラ機能付ストリーム再多重部に１対１で存在する前記ｍ個のデコーダ装置に対して前記ｍ個のデスクランブラ機能付ストリーム再多重部から出力されたｍ本のトランスポートストリームを送信するストリーム送信部と
を備えたことを特徴とする請求項１に記載のデジタル放送受信システム。
【請求項３】
前記デスクランブラ機能付ストリーム再多重部は、
前記ｎ本のトランスポートストリームを入力し、当該ｎ本のトランスポートストリームから選択されたトランスポートストリームを分離して、ＥＣＭ／ＥＭＭのスクランブル情報を含む要求された複数の番組情報を分離出力するＴＳ分離部と、
前記ＴＳ分離部からのＥＣＭ／ＥＭＭのスクランブル情報を含む複数の番組情報を入力し、前記共通のＣＡＳカードに格納されている鍵データに基づいて複数の番組をスクランブル解除して出力するデスクランブラ部と、
前記デスクランブラ部から複数のスクランブル解除済の番組情報を入手し、１本のトランスポートストリームに多重して出力するＴＳ多重部と
を備えたことを特徴とする請求項２に記載のデジタル放送受信システム。
【発明の詳細な説明】
【技術分野】
【０００１】
本発明は、複数チャンネルの放送を同時に受信し、複数番組を同時にデコード処理し、かつ、ネットワークで拡張が可能なデジタル放送受信システムに関するものである。
【背景技術】
【０００２】
デジタル放送受信システムは、特定の視聴者だけが視聴可能となるように、暗号化（スクランブル）された番組を受信するシステムである。同システムにおいては、配信される番組は番組の情報と視聴可否についての情報が付加されている。この番組についての情報と受信機の制御に関する情報とを合わせて共通情報（以後、ＥＣＭ）と云う。また受信機内のＣＡＳカードに与えられている加入者ごとに固有の番号をベースとした個人契約情報およびＥＣＭの暗号を解くための情報とを合わせて個別情報（以後、ＥＭＭ）と云う。ユーザはＥＣＭおよびＥＭＭを用いて、スクランブルされた番組を受信機側でＣＡＳカードを用いてスクランブルを解除し、放送を視聴できる。
【０００３】
以下、複数チャンネルの放送を同時に受信し、複数番組を同時にデコード処理し、かつ、ネットワークで拡張が可能な従来のデジタル受信システムに関して、図３を用いて説明する。
【０００４】
図３は従来のデジタル放送受信システムの構成を示す図である。図３の例は、ｎ＝３、ｍ＝２のデジタル放送受信システムを示す。ここでｎはチューナの数を示す２以上の整数、ｍはデコーダ装置の数を示す１以上の整数である。具体的にはデジタル放送受信システムは、３つのチューナを内蔵したチューナ装置４と２つのデコーダ装置５、６とから構成されている。
【０００５】
図３においてチューナ装置４は、３つのチューナ部１１、１２、１３、３つのデジタル復調部１４、１５、１６、２つのストリーム再多重部２３、２４、およびストリーム送信部１９から構成されている。また、デコーダ装置５は、ストリーム受信部２７、デスクランブラ部２８、蓄積制御付きストリーム処理部２９、ＡＶデコーダ部３０および蓄積部３１から構成されている。また、デコーダ装置６は、ストリーム受信部３２、デスクランブラ部３３、ストリーム処理部３４およびＡＶデコーダ部３５から構成されている。
【０００６】
以上のように構成されたデジタル放送受信システムについて、以下、その動作を説明する。
【０００７】
まずチューナ装置４について説明する。チューナ部１１、１２、１３のチャネル選択やストリーム再多重部２３、２４の複数番組を選択して再多重する制御は、ストリーム送信部１９を介して入力した２つの外部のデコーダ装置５、６の要求に従って行われる。チューナ部１１、１２、１３は各々の放送波の帯域に合致したチャンネルを選択する。デジタル復調部１４、１５、１６は各々の放送波に合致した方式でデジタル復調および誤り訂正処理をし、各々の放送波から１本のトランスポートストリームを出力する。
【０００８】
ストリーム再多重部２３はデコーダ装置５の要求に従って、またストリーム再多重部２４はデコーダ装置６の要求に従って、デジタル復調部１４、１５、１６から出力された３本のトランスポートストリームのうち、各デコーダ装置５、６に必要な２つの番組を各々選択して再多重し、再多重した各々のトランスポートストリームをストリーム送信部１９に出力する。
【０００９】
ストリーム送信部１９は、再多重した２本のトランスポートストリームをパケット化し、ＩＥＥＥ１３９４の有線やＩＥＥＥ８０２．１１ａの無線等の通信方式に従って各々１本のトランスポートストリームを各デコーダ装置５、６に送信する。
【００１０】
次にデコーダ装置５について説明する。ストリーム受信部２７は受信したトランスポートストリームのパケット化を解いて１本のトランスポートストリームをデスクランブラ部２８に出力する。デスクランブラ部２８は、トランスポートストリームをスクランブル解除し、蓄積制御付ストリーム処理部２９に出力する。蓄積制御付ストリーム処理部２９は、スクランブル解除されたトランスポートストリームから必要な２つの番組を圧縮された映像・音声データとして抜き出す。蓄積制御付ストリーム処理部２９は、抜き出した１つの番組を蓄積部３１に格納しながら、タイムシフトして再度読み出し、ＡＶデコーダ部３０に供給する。ＡＶデコーダ部３０は映像・音声を複合して外部のテレビ等に出力する。なお、抜き出したもう１つの番組は蓄積部３１に格納され、裏録画される。
【００１１】
最後にデコーダ装置６について説明する。ストリーム受信部３２はパケット化を解いて１本のトランスポートストリームをデスクランブラ部３３に出力する。デスクランブラ部３３はトランスポートストリームをスクランブル解除し、ストリーム処理部３４に出力する。ストリーム処理部３４はスクランブル解除されたトランスポートストリームから必要な２つの番組を圧縮された映像・音声データとして抜き出す。ＡＶデコーダ部３０は抜き出された２つの番組の映像・音声を複合して、分割２画面、又は、ピクチャインピクチャ画面で外部のテレビに出力する。
【００１２】
なお、図３には明記していないが、デコーダ装置５、６のデスクランブル部２８、３３におけるスクランブル解除は、デスクランブラ部２８、３３と各々ペアに存在するＣＡＳ制御部とＣＡＳカードを用いて行われる。
【００１３】
【特許文献１】特開２００３−１６３８５２号公報
【発明の開示】
【発明が解決しようとする課題】
【００１４】
上述したように、従来のデジタル放送受信機では、スクランブル解除するために、デコーダ装置内のＣＡＳカードインタフェースに接続されるＣＡＳカードと鍵の交換をしなければならない。そのため、１台目のデコーダ装置だけでなく、２台目以降のデコーダ装置であってもＣＡＳカードインタフェースやＣＡＳカードが必要であり、デコーダ装置の小型化が困難であった。更に、ユーザが１台目で追加契約したＣＡＳカードを持っている場合、追加契約した番組を２台目で受信する際に、１台目の追加契約カードを２台目に挿入し直す必要があり、使い勝手も悪いという課題があった。
【課題を解決するための手段】
【００１５】
この課題を解決するために本発明は、チューナ装置側のストリーム再多重部内にデスクランブラ機能を内蔵し、かつ、複数のストリーム再多重部で１つのＣＡＳ制御部と１つのＣＡＳカードを共有化する手段を設け、デコーダ装置側のＣＡＳカードインタフェースやＣＡＳカードが不要にできるように構成したものである。
【発明の効果】
【００１６】
本発明のデジタル放送受信システムでは、デコーダ装置側はＣＡＳカードレスとなるため、ＣＡＳカードスロットが不要となり、小型化が可能となる。また、チューナ装置側の１つのＣＡＳカードを共有するため、ＣＡＳカードの抜き差しが不要となり、使い勝手が良くなるという顕著な効果が得られる。
【発明を実施するための最良の形態】
【００１７】
本発明の請求項１に記載のデジタル放送受信システムは、
ｎ（ｎは２以上の整数）個のチューナを内蔵し、異なった帯域の信号を受信、復調し、後述するデコーダ装置により要求された番組のみを生成したｎ本のストリームから選択して再多重したｍ（ｍは１以上の整数）本のストリームに再構成して、前記ｍ本のストリームを送信するチューナ装置と、
前記チューナ装置に対して選択すべき複数の番組を要求し、前記チューナ装置から送信されたｍ本のストリームのうち、各々１本のストリームを受信し、ストリーム内の複数の番組を同時に映像・音声にデコード処理、又は、蓄積部にレコード処理をするデコーダ装置をｍ個備えたものであり、ｎ個のチューナを内蔵する１つのチューナ装置からｍ個のデコーダ装置に対して、各々複数番組を有する１本のストリームを送信し、各々のデコーダ装置にて複数番組を同時処理できるという作用を有する。
【００１８】
本発明の請求項２に記載のチューナ装置は、
前記デコーダ装置からの要求に応じて異なった帯域の信号を選択して受信するｎ個のチューナ部と、
前記ｎ個のチューナ部の出力を信号の変調方式に対応してデジタル復調し、ｎ本のトランスポートストリームとして出力するｎ個のデジタル復調部と、
前記ｍ個のデコーダ装置毎に１対１で存在し、前記ｍ個のデコーダ装置により要求された番組を前記ｎ個のデジタル復調部から出力されたｎ本のトランスポートストリーム内から選択し、選択した複数番組をスクランブル解除して各々１本のトランスポートストリームに再多重するｍ個のデスクランブラ機能付ストリーム再多重部と、
前記ｍ個の前記デスクランブラ機能付ストリーム再多重部でスクランブル解除する際に、スクランブル解除の際に用いる契約情報の鍵データを格納している１個の共通のＣＡＳカードにアクセスしてスクランブル解除の制御を行う１個の共通のＣＡＳ制御部と、
前記ｍ個のデスクランブラ機能付ストリーム再多重部に１対１で存在する前記ｍ個のデコーダ装置に対して前記ｍ個のデスクランブラ機能付ストリーム再多重部から出力されたｍ本のトランスポートストリームを送信するストリーム送信部とから構成されるものであり、ｎ個のデジタル復調部で処理したｎ本のストリームに対し、ｍ個のデスクランブラ機能付ストリーム再多重部にて外部の各々のデコーダ装置からの要求に応じて必要な複数番組を選択後、デスクランブルして再多重し、再多重した各々１本のストリームをストリーム送信部から外部の各デコーダ装置（又は機能）に送信するという作用を有する。
【００１９】
本発明の請求項３に記載のデスクランブラ機能付ストリーム再多重部は、
前記ｎ本のトランスポートストリームを入力し、当該ｎ本のトランスポートストリームから選択されたトランスポートストリームを分離して、ＥＣＭ／ＥＭＭのスクランブル情報を含む要求された複数の番組情報を分離出力するＴＳ分離部と、
前記ＴＳ分離部からのＥＣＭ／ＥＭＭのスクランブル情報を含む複数の番組情報を入力し、前記共通のＣＡＳカードに格納されている鍵データに基づいて複数の番組をスクランブル解除して出力するデスクランブラ部と、
前記デスクランブラ部から複数のスクランブル解除済の番組情報を入手し、１本のトランスポートストリームに多重して出力するＴＳ多重部とから構成されるものであり、ｎ本のトランスポートストリーム内から選択した複数番組をスクランブル解除して、各々１本のトランスポートストリームに再多重するという作用を有する。
【００２０】
以下、本発明の実施の形態について、図面を参照して説明する。
【００２１】
図１は、本発明の実施の形態によるデジタル放送受信システムの構成を示している。デジタル放送受信システムは、図３に示す従来のデジタル放送受信システムと同様に、ｎ＝３、ｍ＝２として構成されている。具体的には、デジタル放送受信システムは３つのチューナを内蔵したチューナ装置１と２つのデコーダ装置２、３とから構成されている。
【００２２】
図１においてチューナ装置１は、３つのチューナ部１１、１２、１３、３つのデジタル復調部１４、１５、１６、２つのデスクランブラ機能付ストリーム再多重部１７、１８、ストリーム送信部１９、およびＣＡＳカード２２と接続されたＣＡＳ制御部２１から構成されている。これら構成要素のうち、チューナ部１１、１２、１３、デジタル復調部１４、１５、１６、およびストリーム送信部１９は従来技術を示す図３と同じ構成であるため、詳細な説明は省略する。
【００２３】
また、デコーダ装置２は、ストリーム受信部２７、蓄積制御付きストリーム処理部２９、ＡＶデコーダ部３０および蓄積部３１から構成され、デコーダ装置３は、ストリーム受信部３２、ストリーム処理部３４およびＡＶデコーダ部３５から構成されている。これらデコーダ装置２、３内の構成要素はすべて従来技術を示す図３と同じ構成である。
【００２４】
図２は、図１のデスクランブラ機能付ストリーム再多重部１７、１８の構成を示している。デスクランブラ機能付ストリーム再多重部１７、１８は各々、ＴＳ分離部４１、４４、デスクランブラ部４２、４５、ＴＳ多重部４３、４６から構成されている。なお２つのデスクランブラ部４２、４５は１つのＣＡＳ制御部２１と１つのＣＡＳカード２２を共有する。
【００２５】
以上のように構成されたデジタル放送受信システムについて、以下、従来技術と相違するチューナ装置内のデスクランブラ機能付ストリーム再多重部１７、１８を中心にその動作を説明する。
【００２６】
デスクランブラ機能付ストリーム再多重部１７においては、上述したようにｎ本のトランスポートストリームがデジタル復調部１４、１５、１６から入力される。ＴＳ分離部４１は入力したｎ本のトランスポートストリームから、ＥＣＭ／ＥＭＭのスクランブル情報を含む要求された複数の番組情報を分離出力する。デスクランブラ部４２は共通のＣＡＳ制御部２１の制御の下、ＣＡＳカード２２内から抜き出したマスター鍵を用いてスクランブル解除を行う。ＴＳ多重部４３はデスクランブラ部４２から出力されたスクランブル解除済の複数の番組情報を多重化して１本のトランスポートストリームを生成して出力する。
【００２７】
デスクランブラ機能付ストリーム再多重部１８でも、同様にＴＳ分離部４４、デスクランブラ部４５、およびＴＳ再多重部４６を用い、スクランブル解除済の複数の番組情報が多重化された１本のトランスポートストリームを生成する。デスクランブラ部４５で処理する際には、デスクランブラ機能付ストリーム再多重部１７と共通のＣＡＳ制御部２１およびＣＡＳカード２２を用いてスクランブル解除を実施する。
【産業上の利用可能性】
【００２８】
本発明のデジタル放送受信システムは、デコーダ装置側にはＣＡＳカードが不要となるため、小型化が可能となる。またチューナ装置側のＣＡＳカードを共有するため、使い勝手も良くなるという効果を有し、デジタル放送受信システムとして有用である。
【図面の簡単な説明】
【００２９】
【図１】本発明の実施の形態によるデジタル放送受信システムのシステムの構成を示すブロック図
【図２】図１に示したデスクランブラ機能付ストリーム再多重部の構成を示すブロック図
【図３】従来のデジタル放送受信システムの構成を示すブロック図
【符号の説明】
【００３０】
１    チューナ装置
２、３    デコーダ装置
１１、１２、１３    チューナ部
１４、１５、１６    デジタル復調部
１７、１８    デスクランブラ機能付ストリーム再多重部
１９    ストリーム送信部
２１    ＣＡＳ制御部
２２    ＣＡＳカード
２７、３２    ストリーム受信部
２９    蓄積制御付ストリーム処理部
３０、３５    ＡＶデコーダ部
３１    蓄積部
３４    ストリーム処理
４１、４４    ＴＳ分離部
４２、４５    デスクランブル部
４３、４６    ＴＳ多重部
【図１】
2008098970.tif 000003
【図２】
2008098970.tif 000004
【図３】
2008098970.tif 000005